(57)【要約】【課題】通信のできる状態になった時点で、それ以前の通信のできない状態でサーバ側に到着した電子メールを簡易に取得することができるようにした携帯情報端末を得ること。【解決手段】折り畳み式の携帯電話機１０１がわずかでも開くと、開閉検出部１１４がこれを検出し、制御部１１１は無線部１１２を用いて図示しないメールサーバをチェックして、電子メールがあればこれを受信してメモリ１１５に格納する。この時点で表示部１０７等が電子メールの受信を通知する。【選択図】図３
2005065016.tif 000002
【特許請求の範囲】
【請求項１】
情報処理に必要な回路装置の第１の部分を配置した第１の筐体と、
この第１の筐体に対して開閉自在に配置され前記情報処理に必要な回路装置の第２の部分を配置した第２の筐体と、
前記第１の筐体に対して第２の筐体が開状態になったときこれを検出する開状態検出手段と、
この開状態検出手段が開状態を検出したとき自己を宛先としてメールサーバに格納されていた電子メールの受信を行う電子メール受信手段
とを具備することを特徴とする携帯情報端末。
【請求項２】
情報処理に必要な回路装置の第１の部分を配置した第１の筐体と、
この第１の筐体に対して開閉自在に配置され前記情報処理に必要な回路装置の第２の部分を配置した第２の筐体と、
前記第１の筐体に対して第２の筐体が開状態になったときこれを検出する開状態検出手段と、
この開状態検出手段が開状態を検出したとき自己を宛先としてメールサーバに格納されていた電子メールの受信を行う電子メール受信手段と、
この電子メール受信手段の受信の成否を通知する通知手段
とを具備することを特徴とする携帯情報端末。
【請求項３】
前記情報処理に必要な回路装置はマルチタスク処理が可能な装置であり、前記電子メール受信手段は、バックグラウンドで処理されることを特徴とする請求項１または請求項２記載の携帯情報端末。
【請求項４】
前記開状態検出手段は前記第１の筐体に対して前記第２の筐体がわずかでも開いたときこれを検出する手段であり、前記通知手段は電子メールが受信されたときと受信されなかったときとで異なった表示形態で通知を行うことを特徴とする請求項２記載の携帯情報端末。
【請求項５】
情報を視覚的に表示する表示手段と、自己を宛先とする電子メールが前記メールサーバに格納されていたとき、特定のプログラムを起動して電子メールがメールサーバから受信される様子をこの表示手段に表示するメール受信時表示制御手段とを更に具備することを特徴とする請求項１または請求項２記載の携帯情報端末。
【請求項６】
情報を視覚的に表示する表示手段と、前記電子メール受信手段が電子メールを受信したとき特定の動画情報をこの表示手段で再生する動画再生手段とを更に具備することを特徴とする請求項１または請求項２記載の携帯情報端末。
【発明の詳細な説明】
【技術分野】
【０００１】
本発明は、携帯電話機、ＰＨＳ、ＰＤＡ、小型のノート型パーソナルコンピュータのような携帯情報端末に係わるものであり、特に電子メールの受信機能を備えた携帯情報端末に関する。
【背景技術】
【０００２】
電子メールの飛躍的な普及と共に、自宅やオフィスのパーソナルコンピュータだけでなく、携帯電話機、ＰＨＳ（Personal Handy-phone System）、ＰＤＡ（Personal Digital Assistant）、小型のノート型パーソナルコンピュータのような携帯情報端末を使用した電子メールの利用が広く行われている。
【０００３】
携帯電話機の多機能化とディスプレイの高精細化および大型化の要求と共に、表示部と操作部を二分して各種部品の実質的な配置スペースを増大させることのできる折り畳み型の装置が主流となっている。このような折り畳み型の携帯電話機は、装置を折り畳んだ状態にして持ち歩くことができ、液晶等の表示部分や各種キーを配置した操作部を保護することができる。
【０００４】
しかしながら、折り畳み型の携帯電話機は電話を掛けたり電子メールを受信するとき等に装置を閉状態から開状態に変更する必要があり、この分だけ操作性が悪くなるといった問題がある。電話を掛け終わったり電子メールの送信を終了したときに装置を開状態から閉状態に変更する点についても同様である。
【０００５】
そこで、携帯電話機を折り畳んで閉状態にすれば、電子メールの受信動作を終了させるようにした第１の提案が行われている（たとえば特許文献１）。この第１の提案では、電子メールの受信の終了動作を携帯電話機を折り畳む操作と兼用している。これにより、折り畳み式の携帯電話機であっても、これを閉じる操作が無駄にならない。
【０００６】
また、携帯電話機が折り畳まれた閉状態から開状態に操作されるのに連動して、電子メールやデータの送信に関する各種の実行を可能にする第２の提案も行われている（たとえば特許文献２）。この第２の提案では、折り畳み型の携帯電話機の本体が開かれると、予めメモリ部に記憶されているデータ通信に関する設定内容が読み出されて、自動的にデータ通信が行われるようになっている。
【特許文献１】特開２００２−２２９６８４号公報（第００２１段落、図２）
【特許文献２】特開２００３−１２５０７７号公報（第０００７段落、図４）
【発明の開示】
【発明が解決しようとする課題】
【０００７】
しかしながら、前者の第１の提案では、携帯電話機を折り畳んで閉状態にすれば、電子メールの受信中であってもその受信動作が強制的に終了する。したがって、携帯電話機が何らかの外力によって突然閉じられたような場合には、ユーザの意思に反して受信動作が終了することになり、再度受信動作を開始する必要があるといった問題が発生する。
【０００８】
また、後者の第２の提案では、折り畳み型の携帯電話機の本体が開かれることで電子メールやデータの送信が一方的に行われる。したがって、たとえば携帯電話機を長期間使用しなかったような場合で、すでに陳腐化した内容の電子メールやデータが存在した場合であっても、これらが強制的に送信されることになるといった不都合が発生する。
【０００９】
ところで、電子メールの受信について考察してみると、サーバは電子メールが受信されるとこれをサーバ内に格納した後、その時点で電子メールを該当の携帯電話機に送信するようにしている。したがって、電子メールがサーバに到達した時点で該当する携帯電話機の電源がオフとなっていたり、ユーザが圏外にいたような場合、その携帯電話機は電子メールを受信することができない。このため、たまたまその時間帯に電車の中にいた場合のように一時的に電子メールを受信できない状態に置かれていたユーザは、通信が可能になった状態でサーバに対して電子メールが届いているかどうかの問い合せを行う必要があった。
【００１０】
このような問い合わせには、本来の問い合せの操作の他に、先に説明したように携帯電話機を開くといった付加的な操作が必要とされた。携帯電話機以外の折り畳み型の携帯情報端末についても、電子メールを受信する際に同様の煩雑さを強いられることになった。
【００１１】
そこで本発明の目的は、通信のできる状態になった時点で、それ以前の通信のできない状態でサーバ側に到着した電子メールを簡易に取得することができるようにした携帯情報端末を得ることにある。
【課題を解決するための手段】
【００１２】
請求項１記載の発明では、（イ）情報処理に必要な回路装置の第１の部分を配置した第１の筐体と、（ロ）この第１の筐体に対して開閉自在に配置され情報処理に必要な回路装置の第２の部分を配置した第２の筐体と、（ハ）第１の筐体に対して第２の筐体が開状態になったときこれを検出する開状態検出手段と、（ニ）この開状態検出手段が開状態を検出したとき自己を宛先としてメールサーバに格納されていた電子メールの受信を行う電子メール受信手段とを携帯情報端末に具備させる。
【００１３】
すなわち本発明では、第１の筐体に対して第２の筐体が開状態になったとき自己を宛先としてメールサーバに格納されていた電子メールの受信を行うので、特別の操作を行うことなく電子メールの取得が可能である。
【００１４】
請求項２記載の発明では、（イ）情報処理に必要な回路装置の第１の部分を配置した第１の筐体と、（ロ）この第１の筐体に対して開閉自在に配置され情報処理に必要な回路装置の第２の部分を配置した第２の筐体と、（ハ）第１の筐体に対して第２の筐体が開状態になったときこれを検出する開状態検出手段と、（ニ）この開状態検出手段が開状態を検出したとき自己を宛先としてメールサーバに格納されていた電子メールの受信を行う電子メール受信手段と、（ホ）この電子メール受信手段の受信の成否を通知する通知手段とを携帯情報端末に具備させる。
【００１５】
すなわち本発明では、第１の筐体に対して第２の筐体が開状態になったとき自己を宛先としてメールサーバに格納されていた電子メールの受信を行うので、特別の操作を行うことなく電子メールの取得が可能であり、しかも電子メールを受信したことあるいは電子メールがメールサーバになくて受信できなかったことを知ることができる。
【００１６】
本発明では、情報処理に必要な回路装置はマルチタスク処理が可能な装置であり、電子メール受信手段は、バックグラウンドで処理されるものであってもよい。
【００１７】
これにより、ユーザ本人が意識しないで他の操作を行っている状態で電子メールの受信のチェックが完了する。
【００１８】
本発明では、開状態検出手段は第１の筐体に対して第２の筐体がわずかでも開いたときこれを検出する手段であり、通知手段は電子メールが受信されたときと受信されなかったときとで異なった表示形態で通知を行うものであってもよい。
【００１９】
これにより、ユーザが折り畳み式の携帯情報端末を完全に開けない状態でも電子メールのチェックを行い、その結果を知ることができる。
【００２０】
本発明では、情報を視覚的に表示する表示手段と、自己を宛先とする電子メールがメールサーバに格納されていたとき、特定のプログラムを起動して電子メールがメールサーバから受信される様子をこの表示手段に表示するメール受信時表示制御手段とを携帯情報端末に更に具備させている。
【００２１】
これにより、メールサーバに自己宛の電子メールが存在した場合には、その受信の様子を認識することができる。
【００２２】
本発明では、情報を視覚的に表示する表示手段と、電子メール受信手段が電子メールを受信したとき特定の動画情報をこの表示手段で再生する動画再生手段とを携帯情報端末に更に具備させている。
【００２３】
これにより、電子メールが携帯情報端末側に受信されたことを視覚的に認識することができる。
【発明の効果】
【００２４】
このように本発明では、折り畳み型の携帯情報端末を開ける動作と連動して電子メールの受信処理が行われるので、通信が可能になった状態でとりあえず電子メールの受信のチェックを行うことができ、しかもこのための特別の操作が不要である。したがって、夜間等の携帯情報端末等の操作が困難な場所や、携帯情報端末自体がカバンの中等の操作に不便な場所に入っているような場合でも、メールサーバに存在する自己宛の電子メールを簡単に取得することができる。
【発明を実施するための最良の形態】
【００２５】
図１および図２は本発明の携帯情報端末を携帯電話機に適用した場合を示したものである。このうち図１は携帯電話機が開いた状態を表わしたものであり、図２はこの携帯電話機が折り畳まれた状態を表わしたものである。
【００２６】
この実施の形態の携帯電話機１０１は、図１に示すように、上端部にアンテナ１０２を配置した第１の筐体１０３と、この第１の筐体１０３の下端部とヒンジ機構１０４で一端部を連結した第２の筐体１０５とによって構成されている。第１の筐体１０３における、第２の筐体１０５が閉じ合わされる面の側には、液晶等からなる表示部１０７が配置されている。第２の筐体１０５における、第１の筐体１０３が閉じ合わされる面の側には、図示しない複数のキースイッチから構成される操作部１０８が配置されている。
【００２７】
ヒンジ機構１０４内には図示しない回転位置を検出する開閉検出スイッチが配置されている。図２に示すように第１の筐体１０３と第２の筐体１０５を閉じ合わせると、この開閉検出スイッチがオフとなり、これ以外の場合にはオンとなるようになっている。
【００２８】
図３はこの携帯電話機の回路構成の概要を表わしたものである。携帯電話機１０１は、図示しないＣＰＵ（中央処理装置）とこのＣＰＵを用いて携帯電話機１０１の各種制御を行うための制御プログラムを格納したＲＯＭ（リード・オンリ・メモリ）等を備えた制御部１１１を備えている。制御部１１１は、アンテナ１０２を接続した無線部１１２と、前記した開閉検出スイッチ１１３を内蔵した開閉検出部１１４と、表示部１０７および受信した電子メールを格納するためのメモリ１１５と接続されている。
【００２９】
図４は、この携帯電話機の使用される通信システムの要部を表わしたものである。携帯電話機１０１は基地局１２１および基地局制御装置１２２を介して移動体通信交換局１２３と接続されている。移動体通信交換局１２３には携帯電話機１０１の位置情報等を管理するホームロケーションレジスタ（ＨＬＲ）１２４と着信メールを管理するメールサーバ１２５が接続されている。携帯電話機１０１はその電源をオフにしたり圏外に位置しているときには、メールサーバ１２５に電子メールが到着しても、電子メールを受信することができない。携帯電話機１０１が電源をオンにしたり圏内に戻って基地局１２１と無線通信が可能な状態になると、ホームロケーションレジスタ１２４がその位置を登録するようになっている。
【００３０】
図５はこの実施の形態における携帯電話機の筐体が開かれた時点で行われる電子メール受信処理の様子を表わしたものである。この電子メール受信処理は、携帯電話機１０１の第１の筐体１０３と第２の筐体１０５を開く動作が行われたときに、これに伴って時分割でマルチタスク処理が可能な制御部１１１が表タスクで行う他の操作と並行して、ユーザ側に特に意識させないバックグラウンド処理としての裏タスクで並行処理される。
【００３１】
すなわち図３に示した制御部１１１は、図２に示すように第１の筐体１０３と第２の筐体１０５が閉じ合わされている状態からこれらが少なくともわずかに開けられて、図３に示す開閉検出部１１４が携帯電話機１０１の“開”を検出したとすると（ステップＳ２０１）、メール受信中を示すアイコンを表示部１０７の片隅に表示する（ステップＳ２０２）。このとき、ユーザが携帯電話機１０１を他のタスクを行うために開いていたとすると、表示部１０７には他の電話機からの着信を待ち受ける待ち受け画面が表示され、その一部にメール受信中を示すアイコンが表示されていることになる。
【００３２】
この状態で制御部１１１はメール受信処理を実行する（ステップＳ２０３）。これは裏タスクとして行われるので、この間にメールの受信以外の他のタスクが要求されれば、このタスクとメール受信処理のタスクが時間的に並行して処理されることになる。
【００３３】
図６は、このメール受信処理を具体的に表わしたものである。メール受信処理では、まず図４に示すメールサーバ１２５に自分の携帯電話機１０１宛の電子メールが到着しているかどうかを問い合わせる（ステップＳ２２１）。その結果、メールサーバ１２５に電子メールが到着しているとされた場合には（ステップＳ２２２：Ｙ）、その電子メールをメールサーバ１２５から受信して、図３に示すメモリ１１５に蓄積する（ステップＳ２２３）。メールサーバ１２５に電子メールが到着していない場合には（ステップＳ２２２：Ｎ）、そのまま処理を終了させる（エンド）。
【００３４】
図５に戻って説明を続ける。図６に示すメール受信処理が終了したら（ステップＳ２０４：Ｙ）、メール受信中を示すアイコンの表示が終了する。制御部１１１はメール受信処理の結果としてメールを受信したときには（ステップＳ２０５：Ｙ）、電子メールが受信されたことをユーザに積極的に知らせる受信通知処理を実行する（ステップＳ２０６）。この受信通知処理は、たとえばユーザの設定内容に従って着信を示す音あるいはメロディを出力したり、図示しないバイブレーション機構を作動させて振動によって電子メールの受信を通知する。アニメーションによって電子メールが受信されたことを表示部１０７に表示してもよい。電子メールが受信されなかったときには（ステップＳ２０５：Ｎ）、電子メールが到着していないことをアイコンで表示する（ステップＳ２０７）。なお、ステップＳ２０２およびステップＳ２０７のアイコン表示は、携帯電話機１０１にその閉じられた状態で表示を行う他の表示部が備わっている場合には、これに表示してもよい。
【００３５】
ところでこの実施の形態では、電子メールの受信の処理自体を裏タスクで行ったにも係わらず、受信通知処理を積極的に行う理由を説明する。この実施の形態の携帯電話機１０１を使用するユーザの中には、たとえば通勤途中の乗換駅や受講中の講座の休憩時間に、電子メールのチェックだけを行う場合がある。このような場合、ユーザはカバンの中やポケットの中に入れた携帯電話機１０１の第１の筐体１０３と第２の筐体１０５を指でわずかに開け、そのままの状態に放置する。すると、図５のステップＳ２０１で携帯電話機１０１の“開”が検出されて、電子メールの受信処理が自動的に行われる。この結果として電子メールが受信されていれば、たとえばバイブレーションによってこれがユーザに通知されるので、この段階で携帯電話機１０１を完全に開いた状態にしてその内容をチェックすることができる。
【００３６】
ある程度時間が経ってもバイブレーション等による電子メールの受信通知がなかった場合には、アイコンによって電子メールが受信されていないことを確認して携帯電話機１０１を再び完全に閉じた状態にすればよい。十分な時間が経過すれば、アイコンによる確認処理を省略して携帯電話機１０１を閉じる操作を行うことも可能である。このように頻繁に行う電子メールのチェックを、携帯電話機１０１をわずかに開け閉めするといった簡単な処理で行うことができるようになる。
【００３７】
なお、バイブレーションの形態によって電子メールの受信の有無を通知することも可能である。たとえば電子メールが受信された場合には長い周期の断続したバイブレーションでこれを通知し、電子メールが受信されなかった場合には短い周期の断続したバイブレーションでこれを通知してもよい。このようにいずれの場合にもバイブレーションで通知を行うようにすれば、ユーザは裏タスクで行われた電子メールの受信処理が終了したこと知ることができる。そして、バイブレーションの形態に応じて携帯電話機１０１をポケット等から取り出して電子メールを読んだり、あるいは第１の筐体１０３と第２の筐体１０５を完全に閉じて以前の状態に復帰させることができる。
【００３８】
以上説明した実施の形態以外にも本発明は各種の形態を採ることができる。たとえば、電子メールがメールサーバ１２５側に存在することが分ったときには（図６ステップＳ２２２：Ｙ）、ジャバ（Java（登録商標））で記述されたプログラムの中間コードを図示しないＷＷＷ（World Wide Web）サーバから携帯電話機１０１に送るようにする。ここでジャバは、サン・マイクロシステムズ社が開発したオブジェクト指向言語である。中間コードを携帯電話機１０１の裏タスクで実行することで、たとえば特定のキャラクタが電子メールを配達してくるような処理を表示部１０７で実現することができる。
【００３９】
また、図５のステップＳ２０６の受信通知処理を、予めメモリ１１５内あるいは制御部１１１内の前記したＲＯＭに格納した特定の動画情報を再生することで映像あるいは映像と音の組み合わせでユーザに通知するようにしてもよい。
【００４０】
更に本実施の形態では携帯電話機を例に挙げて説明したが、ＰＨＳ、ＰＤＡ、小型のノート型パーソナルコンピュータのような電子メールを受信できる他の携帯情報端末についても本発明を同様に適用することができることは当然である。
【００４１】
また、本実施の形態ではヒンジ機構１０４の回転角を利用して第１の筐体１０３と第２の筐体１０５の開閉を検出したが、これ以外の周知の開閉検出機構あるいは開閉検出スイッチを本発明に同様に適用することができることも当然である。
【図面の簡単な説明】
【００４２】
【図１】本実施の形態で携帯電話機が開いた状態を表わした側面図である。
【図２】本実施の形態で携帯電話機が閉じた状態を表わした側面図である。
【図３】本実施の形態における携帯電話機の回路構成の概要を表わしたブロック図である。
【図４】携帯電話機の使用される通信システムの要部を表わしたブロック図である。
【図５】本実施の形態で携帯電話機の筐体が開かれた時点で行われる電子メール受信処理の様子を表わした流れ図である。
【図６】本実施の形態でメール受信処理を具体的に表わした流れ図である。
【符号の説明】
【００４３】
１０１  携帯電話機（携帯情報端末）
１０３  第１の筐体
１０５  第２の筐体
１０７  表示部
１１１  制御部
１１２  無線部
１１３  開閉検出スイッチ
１１４  開閉検出部
１１５  メモリ
１２４  ホームロケーションレジスタ（ＨＬＲ）
１２５  メールサーバ
【図１】
2005065016.tif 000003
【図２】
2005065016.tif 000004
【図３】
2005065016.tif 000005
【図４】
2005065016.tif 000006
【図５】
2005065016.tif 000007
【図６】
2005065016.tif 000008